(57)【特許請求の範囲】
【請求項１】
内部前方に集塵室が区画されるとともに、当該集塵室へ空気および塵埃を真空吸引するための電動送風機が内部後方に内蔵されており、前記集塵室の上部は開放されているケーシングと、
前記集塵室の上方開放部を開閉する集塵カバーと、
前記集塵室内の上方に着脱自在に設けられ、ごみ袋を固定するための取付板と、を備える電気掃除機であって、
前記取付板には、前記電動送風機寄りの後方位置を中心に回動して前方側が持ち上がる取っ手が備えられており、この取っ手の前方側を起こすように持ち上げ、上方へ引っ張り上げることにより取付板およびその取付板に固定されたごみ袋は取付板の後方端縁側を支点にして前方側が回動するように変位し、集塵室から取り出せることを特徴とする電気掃除機。
【請求項２】
前記取付板には、吸込口が形成されており、
前記取っ手は、吸込口と干渉しない略コ字状をしていることを特徴とする請求項１記載の電気掃除機。
【発明の詳細な説明】
【技術分野】
【０００１】
この発明は、電気掃除機に関し、特に、ごみ袋を装着可能であり、塵挨をごみ袋に溜めることのできる電気掃除機に関する。
【背景技術】
【０００２】
従来の電気掃除機には、吸引した塵挨を溜めるための容器として、一般に紙パックと称されるごみ袋を用いるものが公知である。このような紙パックを装着する電気掃除機は、通常、キャニスター型掃除機と呼ばれており、たとえば特許文献１に開示されている。
【特許文献１】特開２０００−０７０１９６号公報
【発明の開示】
【発明が解決しようとする課題】
【０００３】
従来のキャニスター型掃除機では、紙パックを装着するためのバスケットが着脱自在になっており、バスケット内に紙パックが装着できる構成となっている。
一方、紙パックを装着するためのバスケットに代えて、紙パックの口紙を取り付ける取付板を有する掃除機も提案されているが、取付板を有するものでは、紙パックに溜まった塵挨を捨てる際に、紙パックを集塵室から取り外しにくいという課題があった。特に、紙パック内に多量の塵挨が溜まっている場合は、多量の塵挨が溜まった紙パックが電動送風機側に吸い寄せられており、紙パックを集塵室から取り出しにくいという課題があった。      
【０００４】
この発明は、このような背景のもとになされたもので、集塵室内にごみ袋（紙パック）をセットする際に、紙パックの口紙を固定する取付板を有する電気掃除機において、取付板および紙パックが集塵室からスムーズに取り出せるように改良された電気掃除機を提供することを目的とする。
【課題を解決するための手段】
【０００５】
請求項１記載の発明は、内部前方に集塵室が区画されるとともに、当該集塵室へ空気および塵埃を真空吸引するための電動送風機が内部後方に内蔵されており、前記集塵室の上部は開放されているケーシングと、前記集塵室の上方開放部を開閉する集塵カバーと、前記集塵室内の上方に着脱自在に設けられ、ごみ袋を固定するための取付板と、を備える電気掃除機であって、前記取付板には、前記電動送風機寄りの後方位置を中心に回動して前方側が持ち上がる取っ手が備えられており、この取っ手の前方側を起こすように持ち上げ、上方へ引っ張り上げることにより取付板およびその取付板に固定されたごみ袋は取付板の後方端縁側を支点にして前方側が回動するように変位し、集塵室から取り出せることを
特徴とする電気掃除機である。
【０００６】
請求項２記載の発明は、前記取付板には、吸込口が形成されており、前記取っ手は、吸込口と干渉しない略コ字状をしていることを特徴とする請求項１記載の電気掃除機である。
【発明の効果】
【０００７】
請求項１記載の発明によれば、取付板には取っ手が備えられている。この取っ手は、前方側を起こすように持ち上げると、取付板の後方側（電動送風機寄りの位置）を中心に回動する。このため、取っ手を持ち上げて、取付板を上方へ引っ張り上げる際に、取付板の前方側が後方側よりも先行して持ち上がる。取付板の下方に固定された紙パック（ごみ袋）は、電動送風機により吸引されていて、電動送風機側（後方側）に塵挨が偏っている。それゆえ、取付板を前方側を後方側よりも先行して持ち上げて取り外すようにすると、取付板に固定された紙パック（ごみ袋）はスムーズに集塵室から取り出すことができる。
【０００８】
請求項２記載の発明によれば、取付板は、その後方側端縁（電動送風機側端縁）を支点にして上方へ回動するように持ち上がるから、集塵室から軽い力で取り外すことができる。また、取付板は後方端縁を支点に回動するので、取付板に固定された紙パックも、前方側から持ち上がり、紙パックが集塵室からスムーズに取り出せる。
請求項３記載の発明によれば、取付板に設けられた取っ手は、取付板の吸込口と干渉しないように設けられており、吸込口に吸込ホース等が接続される際に取っ手が支障になることはない。
【発明を実施するための最良の形態】
【０００９】
以下には、図面を参照して、この発明の実施形態について具体的に説明する。
図１は、この発明の一実施形態に係る電気掃除機１の側面図であり、図２は、その平面図である。また、図３は、電気掃除機１の構造を説明するための図解的な縦断面側面図である。
図１〜３を参照して、電気掃除機１には、たとえば樹脂により形成された本体ケーシング２が備えられている。本体ケーシング２内の後方側（図１〜３において右側）には、電動送風機収納室３が区画されており、この収納室３内に電動送風機４が備えられている。電動送風機収納室３の前方側には集塵室５が区画されている。集塵室５は、その上面が開放部６となっている。上面である開放部６は、集塵室カバー７で開閉可能に塞がれている。
【００１０】
なお、図３は、吸込ホース８の根元部分９を集塵室カバー７の装着孔１０に装着し、集塵室カバー７を開成した状態を表わしている。一方、図１および２は、吸込ホース８が装着されておらず、集塵室カバー７が閉じられた状態の図である。
図３を参照して、電動送風機４が駆動されると、吸込ホース８を経由して空気とともに塵挨が吸込まれ、それら空気および塵挨は集塵室５に入り、集塵室５に備えられた紙パック１１（ごみ袋）によって塵挨が捕獲される。そして空気は、電動送風機４の周囲を通り、本体ケーシング２の後面側に形成された排気口１２から外部へ排出される。
【００１１】
この電気掃除機１は、集塵室５に紙パック１１を装着するための部材として取付板１３を備えている。
図４は、集塵室カバー７を取り外した状態で示す取付板１３の平面図であり、図５は、吸込ホース８の根元部分９が装着された集塵室カバー７を閉じた状態において、取付板１３と集塵室カバー７との位置関係を説明するための電気掃除機１の部分縦断面図である。      
【００１２】
図３〜５を参照して、取付板１３は、集塵室５内の上方に着脱自在に設けられている。取付板１３は、図４に示すように、その前方端縁および側方端縁が集塵室５を区画する本体ケーシング２の内周縁に沿う形状にされている。よって、取付板１３は集塵室５の上方前方部を隙間のないように塞いでいる。取付板１３の後方端縁は、その左右両側１３Ｂ（図４において上下端部）が本体ケーシング２に突設されたピン１４で保持されている。それゆえ、取付板１３は、後述するように、その前方端縁側（図４において左側）を持ち上げると、ピン１４に支えられた後方端縁１３Ｂ側を支点にして回動するように変位し、集塵室５から取り外すことができる。
【００１３】
取り付板１３には、平面視においてその中央部に吸込口１５が形成されている。また、取付板１３の上面には取っ手１６が備えられている。取っ手１６は、図４に示すように、平面視略コ字状をしており、一対の端部１７は、取付板１３の上面に回動自在に取り付けられている。端部１７の取付位置は、取付板１３の後方寄り（電動送風機４寄り）の位置となっている。表現を変えれば、取付板１３の前後方向（図４において左右方向）長さの中央位置よりも後方寄り（図４において右寄り）の位置に取っ手１６の端部１７が回動自在に取り付けられている。そして、取っ手１６は、その把持部１８が取付板１３上の前方側（図４において左側）へ倒れた収納位置（図５で示す位置）と、取っ手１６が取付板１３から立ち上がった起立位置（図３で示す位置）とに回動変位し得る。
【００１４】
なお、取っ手１６は、たとえば端部１７に関連して弦巻ばね等を設け、常時は、取付板１３に沿って寝た収納位置になっているようにし、人力によって把持部１８を持ち上げられる構成としてもよい。
取っ手１６が取付板１３表面に沿って寝た収納位置では、図４に示すように（図４は、取っ手１６は完全に取付板１３表面に沿って寝ているわけではなく、把持部１８が多少浮き上がった状態の平面図である。）、取っ手１６は吸込口１５と干渉しないようにされている。従って、図５に示すように、集塵室カバー７が閉じられ、集塵室カバー７に吸込ホース８の根元部分９が装着された状態であっても、根元部分９は取っ手１６の存在にかかわらず、取付板１３の吸込口１５と気密的に対向することができる。
【００１５】
取付板１３は、その下面側に紙パック１１を装着できる。より具体的には、紙パック１１の口紙１９を取付板１３の下面側の予め定める位置に装着することができる。これにより、紙パック１１は取付板１３に取り付けられる。そして吸込口１５から空気および塵挨が吸込まれると、紙パック１１の不織布等で構成されたごみ袋２０が集塵室５内で膨れる。
【００１６】
ところで、ごみ袋２０内に捕獲された塵挨は、電動送風機４側（図３において右側）の、電動送風機４で吸込まれる側に溜まり、ごみ袋２０の後方寄りの部分２０Ｂは、集塵室５と電動送風機収納室３とを区画する隔壁２１に密着することがある。隔壁２１はたとえば格子状または上下もしくは左右に延びる仕切り材で通風可能に構成されている。よって、その仕切り材の隙間等にごみ袋２０が部分的に入り込み、ごみ袋２０の後方部分２０Ｂが隔壁２１に張りついた状態になることもある。
【００１７】
このような状態において、取付板１３を持ち上げて紙パック１１を集塵室５から取り出そうとしたとき、ごみ袋後方部分２０Ｂが隔壁２１と密着しており取り外しにくい場合があることが判明した。
そこで、この電気掃除機１では、図３において取付板１３を右回りに回動させるように持ち上げ、それによって取付板１３に装着された紙パック１１が左底側から持ち上がり、ごみ袋の右側部分２０Ｂが隔壁２０からスムーズに離れ、紙パック１１を取出易い構成としたのである。
【００１８】
より具体的に説明すると、取付板１３の上面に備えられた取っ手１６は、一対の端部１７が取付板１３の前後方向における後方寄り（電動送風機４寄り）に設けられている。そして把持部１８は取付板１３の上面に沿って寝た収納位置から起立した位置へ回動される。このため、把持部１８を握り取っ手１６を立ち上げるように回動させると、それに伴って取付板１３も、ピン１４で支えられた後方端縁部分１３Ｂを支点として前方側がまず持ち上がる。すなわち、取付板１３は、集塵室５から取り外す際、まず、前方側が上方へ持ち上げられる。その結果、取付板１３に装着された紙パック１１は、集塵室５内において前方側から持ち上がる。そして続いて図６に示すように取っ手１６が上方へ引き上げられると、集塵室５内の紙パック１１、特にごみ袋後方部分２０Ｂは隔壁２１からスムーズに離れるように持ち上げられる。よって、塵挨が多量に溜まったごみ袋後方部分２０Ｂが隔壁２１に引っ掛かることなく、紙パック１１を集塵室５から取り出すことができる。
【００１９】
この発明は、以上説明した実施形態に限定されるものではなく、請求項記載の範囲内において種々の変更が可能である。
【図面の簡単な説明】
【００２０】
【図１】この発明の一実施形態に係る電気掃除機１の側面図である。
【図２】この発明の一実施形態に係る電気掃除機１の平面図である。
【図３】この発明の一実施形態に係る電気掃除機１の構造を説明するための図解的な縦断面側面図である。
【図４】集塵カバー７を取り外した状態で示す取付板１３の平面図である。
【図５】取付板１３と集塵室カバー７との位置関係を説明するための電気掃除１の部分縦断面図である。
【図６】取付板１３および紙パック１１を集塵室５から取り出す様子を示す縦断面図である。
【符号の説明】
【００２１】
１    電気掃除機
２    本体ケーシング（本体）
４    電動送風機
５    集塵室
６    開放部
７    集塵室カバー
１１    紙パック
１３    取付板
１６    取っ手
【図１】
0005227647.tif 000002
【図２】
0005227647.tif 000003
【図３】
0005227647.tif 000004
【図４】
0005227647.tif 000005
【図５】
0005227647.tif 000006
【図６】
0005227647.tif 000007